(57)【要約】【課題】対象移動局ＵＥに対してＭＤＴ測定処理を行わせることが承諾されている場合にのみ、ＭＤＴを開始する。【解決手段】本発明に係る移動通信方法は、運用保守サーバＥＭが、加入者管理サーバＨＳＳに対して、「ＭＤＴ  ｃｏｎｆｉｇ」を送信する工程Ａと、加入者管理サーバＨＳＳが、対象移動局ＵＥに対してＭＤＴ測定処理を行わせることが承諾されていると判定した場合に、移動管理ノードＭＭＥと無線基地局ｅＮＢとを介して、対象移動局ＵＥに対して、ＭＤＴ測定処理の実施を指示する工程Ｂとを有する。【選択図】図３
2012119895.tif 000002
【特許請求の範囲】
【請求項１】
運用保守サーバによって指定された対象移動局が、該運用保守サーバによって指定された測定処理を行い、該測定処理の結果を報告する移動通信方法であって、
前記運用保守サーバが、加入者管理サーバに対して、前記対象移動局による前記測定処理の実施を指示する指示情報を送信する工程Ａと、
前記加入者管理サーバが、前記対象移動局に対して前記測定処理を行わせることが承諾されていると判定した場合に、移動管理ノードと無線基地局とを介して、該対象移動局に対して、前記測定処理の実施を指示する工程Ｂとを有することを特徴とする移動通信方法。
【請求項２】
前記工程Ｂにおいて、前記加入者管理サーバは、前記対象移動局がアタッチ処理を行った後或いは接続状態に遷移した後、該対象移動局に対して、前記測定処理の実施を指示することを特徴とする請求項１に記載の移動通信方法。
【請求項３】
運用保守サーバによって指定された対象移動局が、該運用保守サーバによって指定された測定処理を行い、該測定処理の結果を報告する移動通信方法であって、
前記運用保守サーバが、加入者管理サーバに対して、前記対象移動局による前記測定処理の実施を指示する指示情報を送信する工程Ａと、
前記加入者管理サーバが、移動管理ノードに対して、前記指示情報を送信する工程Ｂと、
前記移動管理ノードが、前記対象移動局に対して前記測定処理を行わせることが承諾されていると判定した場合に、無線基地局を介して、該対象移動局に対して、前記測定処理の実施を指示する工程Ｃとを有することを特徴とする移動通信方法。
【請求項４】
前記工程Ｃにおいて、前記移動管理ノードは、前記対象移動局がアタッチ処理を行った後或いは接続状態に遷移した後、該対象移動局に対して、前記測定処理の実施を指示することを特徴とする請求項３に記載の移動通信方法。
【請求項５】
運用保守サーバによって指定された対象移動局が、該運用保守サーバによって指定された測定処理を行い、該測定処理の結果を報告することができるように構成されている移動通信システムで用いられる加入者管理サーバであって、
前記運用保守サーバから、前記対象移動局による前記測定処理の実施を指示する指示情報を受信した場合に、該対象移動局に対して該測定処理を行わせることが承諾されているか否かについて判定するように構成されている判定部と、
前記対象移動局に対して前記測定処理を行わせることが承諾されていると判定した場合に、移動管理ノードと無線基地局とを介して、該対象移動局に対して、前記測定処理の実施を指示するように構成されている指示部とを具備することを特徴とする加入者管理サーバ。
【請求項６】
前記指示部は、前記対象移動局がアタッチ処理を行った後或いは接続状態に遷移した後、該対象移動局に対して、前記測定処理の実施を指示するように構成されていることを特徴とする請求項５に記載の加入者管理サーバ。
【請求項７】
運用保守サーバによって指定された対象移動局が、該運用保守サーバによって指定された測定処理を行い、該測定処理の結果を報告することができるように構成されている移動通信システムで用いられる移動管理ノードであって、
前記対象移動局による前記測定処理の実施を指示する指示情報を受信した場合に、該対象移動局に対して該測定処理を行わせることが承諾されているか否かについて判定するように構成されている判定部と、
前記対象移動局に対して前記測定処理を行わせることが承諾されていると判定した場合に、無線基地局を介して、該対象移動局に対して、前記測定処理の実施を指示するように構成されている指示部とを具備することを特徴とする移動管理ノード。
【請求項８】
前記指示部は、前記対象移動局がアタッチ処理を行った後或いは接続状態に遷移した後、該対象移動局に対して、前記測定処理の実施を指示するように構成されていることを特徴とする請求項７に記載の移動管理ノード。
【発明の詳細な説明】
【技術分野】
【０００１】
本発明は、移動通信方法、加入者管理サーバ及び移動管理ノードに関する。
【背景技術】
【０００２】
ＬＴＥ（Ｌｏｎｇ  Ｔｅｒｍ  Ｅｖｏｌｕｔｉｏｎ）方式では、「ＭＤＴ（Ｍｉｎｉｍｉｓａｔｉｏｎ  ｏｆ  Ｄｒｉｖｅ  Ｔｅｓｔｓ）」が規定されている。
【０００３】
かかるＭＤＴには、「Ｉｍｍｅｄｉａｔｅ  ＭＤＴ」及び「Ｌｏｇｇｅｄ  ＭＤＴ」の２つのモードがある。
【０００４】
「Ｉｍｍｅｄｉａｔｅ  ＭＤＴ」では、対象移動局ＵＥは、現状のＲＲＭ（Ｒａｄｉｏ  Ｒｅｓｏｕｒｃｅ  Ｍａｎａｇｅｍｅｎｔ）用の「ＲＲＣ  Ｍｅａｓｕｒｅｍｅｎｔ  Ｃｏｎｆｉｇｕｒａｔｉｏｎ」に基づく測定処理を行い、かかる測定処理の結果を含む「ＲＲＣ  Ｍｅａｓｕｒｅｍｅｎｔ  Ｒｅｐｏｒｔ」に、対象移動局ＵＥの位置情報を示す「Ｌｏｃａｔｉｏｎ  Ｉｎｆｏｒｍａｔｉｏｎ」を付与して、ネットワークに対して報告するように構成されている。
【０００５】
一方、「Ｌｏｇｇｅｄ  ＭＤＴ」では、対象移動局ＵＥは、接続状態（ＲＲＣＣ_ＣＯＮＮＥＣＴＥＤ）において、「Ｌｏｇｇｅｄ  ＭＤＴ  Ｃｏｎｆｉｇｕｒａｔｉｏｎ」を受信し、アイドル状態（ＲＲＣ_ＩＤＬＥ）において、「Ｌｏｇｇｅｄ  ＭＤＴ  Ｃｏｎｆｉｇｕｒａｔｉｏｎ」に基づく測定処理を行い、かかる測定処理の結果をＭＤＴログとして記憶し、接続状態（ＲＲＣ_ＣＯＮＮＥＣＴＥＤ）に遷移した場合に、かかるＭＤＴログを報告するように構成されている。
【０００６】
かかるＭＤＴを開始するための手順として、「Ｓｉｇｎａｌｉｎｇ  ｂａｓｅｄ  ＭＤＴ  ａｃｔｉｖａｔｉｏｎ  ｐｒｏｃｅｄｕｒｅ」が規定されている。
【０００７】
「Ｓｉｇｎａｌｉｎｇ  ｂａｓｅｄ  ＭＤＴ  ａｃｔｉｖａｔｉｏｎ  ｐｒｏｃｅｄｕｒｅ」では、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＩＭＥＩ-ＳＶ（Ｉｎｔｅｒｎａｔｉｏｎａｌ  Ｍｏｂｉｌｅ  Ｅｑｕｉｐｍｅｎｔ  Ｉｄｅｎｔｉｔｙ  Ｓｏｆｔｗａｒｅ  Ｖｅｒｓｉｏｎ）によって、対象移動局ＵＥを指定するように構成されている。ここで、併せて、対象ＭＤＴエリアを指定してもよい。
【先行技術文献】
【非特許文献】
【０００８】
【非特許文献１】３ＧＰＰ  ３７.３２０、Ｕｎｉｖｅｒｓａｌ  Ｔｅｒｒｅｓｔｒｉａｌ  Ｒａｄｉｏ  Ａｃｃｅｓｓ  （ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｒａｄｉｏ  ｍｅａｓｕｒｅｍｅｎｔ  ｃｏｌｌｅｃｔｉｏｎ  ｆｏｒ  Ｍｉｎｉｍｉｚａｔｉｏｎ  ｏｆ  Ｄｒｉｖｅ  Ｔｅｓｔｓ  （ＭＤＴ）；  Ｏｖｅｒａｌｌ  ｄｅｓｃｒｉｐｔｉｏｎ；  Ｓｔａｇｅ  ２
【発明の概要】
【発明が解決しようとする課題】
【０００９】
しかしながら、ＭＤＴは、移動局ＵＥの加入者によってサービスではないため、移動局ＵＥに対してＭＤＴ測定処理を行わせるためには、かかる移動局ＵＥの加入者の承諾が必要であると考える。
【００１０】
ここで、現状では、運用保守サーバＥＭや無線基地局ｅＮＢは、対象移動局ＵＥに対してＭＤＴ測定処理を行わせることが承諾されているか否かについて把握していない。
【００１１】
そこで、本発明は、上述の課題に鑑みてなされたものであり、対象移動局ＵＥに対してＭＤＴ測定処理を行わせることが承諾されている場合にのみ、ＭＤＴを開始することができる移動通信方法、加入者管理サーバ及び移動管理ノードを提供することを目的とする。
【課題を解決するための手段】
【００１２】
本発明の第１の特徴は、運用保守サーバによって指定された対象移動局が、該運用保守サーバによって指定された測定処理を行い、該測定処理の結果を報告する移動通信方法であって、前記運用保守サーバが、加入者管理サーバに対して、前記対象移動局による前記測定処理の実施を指示する指示情報を送信する工程Ａと、前記加入者管理サーバが、前記対象移動局に対して前記測定処理を行わせることが承諾されていると判定した場合に、移動管理ノードと無線基地局とを介して、該対象移動局に対して、前記測定処理を行うように指定する工程Ｂとを有することを要旨とする。
【００１３】
本発明の第２の特徴は、運用保守サーバによって指定された対象移動局が、該運用保守サーバによって指定された測定処理を行い、該測定処理の結果を報告する移動通信方法であって、前記運用保守サーバが、加入者管理サーバに対して、前記対象移動局による前記測定処理の実施を指示する指示情報を送信する工程Ａと、前記加入者管理サーバが、移動管理ノードに対して、前記指示情報を送信する工程Ｂと、前記移動管理ノードが、前記対象移動局に対して前記測定処理を行わせることが承諾されていると判定した場合に、無線基地局を介して、該対象移動局に対して、前記測定処理を行うように指定する工程Ｃとを有することを要旨とする。
【００１４】
本発明の第３の特徴は、運用保守サーバによって指定された対象移動局が、該運用保守サーバによって指定された測定処理を行い、該測定処理の結果を報告することができるように構成されている移動通信システムで用いられる加入者管理サーバであって、前記運用保守サーバから、前記対象移動局による前記測定処理の実施を指示する指示情報を受信した場合に、該対象移動局に対して該測定処理を行わせることが承諾されているか否かについて判定するように構成されている判定部と、前記対象移動局に対して前記測定処理を行わせることが承諾されていると判定した場合に、移動管理ノードと無線基地局とを介して、該対象移動局に対して、前記測定処理の実施を指示するように構成されている指示部とを具備することを要旨とする。
【００１５】
本発明の第４の特徴は、運用保守サーバによって指定された対象移動局が、該運用保守サーバによって指定された測定処理を行い、該測定処理の結果を報告することができるように構成されている移動通信システムで用いられる移動管理ノードであって、前記対象移動局による前記測定処理の実施を指示する指示情報を受信した場合に、該対象移動局に対して該測定処理を行わせることが承諾されているか否かについて判定するように構成されている判定部と、前記対象移動局に対して前記測定処理を行わせることが承諾されていると判定した場合に、無線基地局を介して、該対象移動局に対して、前記測定処理の実施を指示するように構成されている指示部とを具備することを要旨とする。
【発明の効果】
【００１６】
以上説明したように、本発明によれば、対象移動局ＵＥに対してＭＤＴ測定処理を行わせることが承諾されている場合にのみ、ＭＤＴを開始することができる移動通信方法、加入者管理サーバ及び移動管理ノードを提供することができる。
【図面の簡単な説明】
【００１７】
【図１】本発明の第１の実施形態に係る移動通信システムの全体構成図である。
【図２】本発明の第１の実施形態に係る加入者管理サーバの機能ブロック図である。
【図３】本発明の第１の実施形態に係る移動通信システムの動作を示すシーケンス図である。
【図４】本発明の第１の実施形態に係る移動通信システムの動作を示すシーケンス図である。
【図５】本発明の変更例１に係る移動管理ノードの機能ブロック図である。
【図６】本発明の変更例１に係る移動通信システムの動作を示すシーケンス図である。
【図７】本発明の変更例１に係る移動通信システムの動作を示すシーケンス図である。
【発明を実施するための形態】
【００１８】
（本発明の第１の実施形態に係る移動通信システム）
図１乃至図４を参照して、本発明の第１の実施形態に係る移動通信システムについて説明する。
【００１９】
図１に示すように、本実施形態に係る移動通信システムは、ＬＴＥ方式の移動通信システムであって、運用保守サーバＥＭと、加入者管理サーバＨＳＳ（Ｈｏｍｅ  Ｓｕｂｓｃｒｉｂｅｒ  Ｓｅｒｖｅｒ）と、移動管理ノードＭＭＥ（Ｍｏｂｉｌｉｔｙ  Ｍａｎａｇｅｍｅｎｔ  Ｅｎｔｉｔｙ）と、トレース収集サーバＴＣＥ（Ｔｒａｃｅ  Ｃｏｌｌｅｃｔｉｏｎ  Ｅｎｔｉｔｙ）と、無線基地局ｅＮＢとを具備している。
【００２０】
本実施形態に係る移動通信システムでは、運用保守サーバＥＭによって指定された対象移動局ＵＥが、運用保守サーバＥＭによって指定されたＭＤＴ測定処理を行い、かかるＭＤＴ測定処理の結果を含むＭＤＴログを報告することができるように構成されている。
【００２１】
本実施形態に係る対象移動局ＵＥは、「Ｉｍｍｅｄｉａｔｅ  ＭＤＴ」及び「Ｌｏｇｇｅｄ  ＭＤＴ」のいずれにも対応可能である。
【００２２】
また、本実施形態に係る移動通信システムでは、ＭＤＴを開始するための手順として、「Ｓｉｇｎａｌｉｎｇ  ｂａｓｅｄ  ＭＤＴ  ａｃｔｉｖａｔｉｏｎ  ｐｒｏｃｅｄｕｒｅ」が適用されている。
【００２３】
図２に示すように、加入者管理サーバＨＳＳは、受信部１１と、判定部１２と、管理部１３と、送信部１４とを具備している。
【００２４】
受信部１１は、運用保守サーバＥＭから、対象移動局ＵＥによるＭＤＴ測定処理の実施を指示する指示情報としての「ＭＤＴ  ｃｏｎｆｉｇ」を含む「Ｔｒａｃｅ  Ｓｅｓｓｉｏｎ  Ａｃｔｉｖａｔｉｏｎ」を受信するように構成されている。
【００２５】
管理部１３は、各移動局ＵＥの加入者情報を管理するように構成されている。例えば、管理部１３は、各移動局ＵＥに対してＭＤＴ測定処理を行わせることが承諾されているか否かについて示す承諾情報を管理するように構成されている。
【００２６】
例えば、かかる承諾情報は、各移動局ＵＥのユーザが加入契約を申し込む際に設定されてもよい。
【００２７】
判定部１２は、受信部１１によって「ＭＤＴ  ｃｏｎｆｉｇ」を含む「Ｔｒａｃｅ  Ｓｅｓｓｉｏｎ  Ａｃｔｉｖａｔｉｏｎ」が受信された場合、管理部１３を参照して、「ＭＤＴ  ｃｏｎｆｉｇ」によって指定されている対象移動局ＵＥに対してＭＤＴ測定処理を行わせることが承諾されているか否かについて判定するように構成されている。
【００２８】
送信部１４は、移動管理ノードＭＭＥに対して、対象移動局ＵＥに対してＭＤＴ測定処理の実施を指示するための「Ｔｒａｃｅ  Ｓｅｓｓｉｏｎ  Ａｃｔｉｖａｔｉｏｎ」を送信し、運用保守サーバＥＭに対して、対象移動局ＵＥによるＭＤＴ測定処理の実施を拒絶するための「Ｔｒａｃｅ  Ｓｅｓｓｉｏｎ  Ａｃｔｉｖａｔｉｏｎ  Ｒｅｊｅｃｔ」を送信するように構成されている。
【００２９】
具体的には、判定部１２が、対象移動局ＵＥに対してＭＤＴ測定処理を行わせることが承諾されていると判定した場合に、送信部１４は、移動管理ノードＭＭＥに対して、「ＭＤＴ  ｃｏｎｆｉｇ」を含む「Ｔｒａｃｅ  Ｓｅｓｓｉｏｎ  Ａｃｔｉｖａｔｉｏｎ」を送信するように構成されている。
【００３０】
一方、判定部１２が、対象移動局ＵＥに対してＭＤＴ測定処理を行わせることが承諾されていないと判定した場合に、送信部１４は、運用保守サーバＥＭに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信するように構成されている。
【００３１】
以下、図３及び図４を参照して、本実施形態に係る移動通信システムの動作の一例について説明する。
【００３２】
第１に、図３を参照して、本実施形態に係る移動通信システムにおいて移動局ＵＥが接続状態（ＲＲＣ_ＣＯＮＮＥＣＴＥＤ）になる前の動作について説明する。
【００３３】
図３に示すように、ステップＳ１００１において、運用保守サーバＥＭは、加入者管理サーバＨＳＳに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００３４】
ステップＳ１００２において、加入者管理サーバＨＳＳは、「ＭＤＴ  ｃｏｎｆｉｇ」によって指定されている対象移動局ＵＥに対してＭＤＴ測定処理を行わせることが承諾されているか否かについて判定する。
【００３５】
ここで、加入者管理サーバＨＳＳは、対象移動局ＵＥに対してＭＤＴ測定処理を行わせることが承諾されていないと判定した場合、ステップＳ１００３Ａにおいて、運用保守サーバＥＭに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信する。
【００３６】
一方、加入者管理サーバＨＳＳは、対象移動局ＵＥに対してＭＤＴ測定処理を行わせることが承諾されていると判定した場合、ステップＳ１００３において、移動管理ノードＭＭＥに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００３７】
ここで、移動管理ノードＭＭＥは、対象移動局ＵＥが接続状態になっていないため、かかる「Ｔｒａｃｅ  Ｓｅｓｓｉｏｎ  Ａｃｔｉｖａｔｉｏｎ」を保留する。
【００３８】
対象移動局ＵＥは、ステップＳ１００４において、無線基地局ｅＮＢに対して、「Ａｔｔａｃｈ  Ｒｅｑｕｅｓｔ」を送信し、ステップＳ１００５において、アタッチ処理（Ａｔｔａｃｈ  Ｐｒｏｃｅｄｕｒｅ）が行われる。或いは、対象移動局ＵＥのアイドル状態（ＲＲＣ_ＩＤＬＥ）から接続状態（ＲＲＣ_ＣＯＮＮＥＣＴＥＤ）への遷移処理が行われる。
【００３９】
ステップＳ１００６において、移動管理ノードＭＭＥは、無線基地局ｅＮＢに対して、「ＭＤＴ  ｃｏｎｆｉｇ」を含む「Ｔｒａｃｅ  Ｓｔａｒｔ」を送信する。
【００４０】
ステップＳ１００７において、無線基地局ｅＮＢは、対象移動局ＵＥに対して、ＲＲＣメッセージによって「ＭＤＴ  ｃｏｎｆｉｇ」を通知する。
【００４１】
対象移動局ＵＥは、ステップＳ１００８において、「Ｉｍｍｅｄｉａｔｅ  ＭＤＴ」又は「Ｌｏｇｇｅｄ  ＭＤＴ」のいずれかのモードで、ＭＤＴ測定処理を行い、ステップＳ１００９において、無線基地局ｅＮＢに対して、かかるＭＤＴ測定処理の結果を含む「ＭＤＴ  ｒｅｐｏｒｔ」を送信する。ここで、対象移動局ＵＥは、「ＭＤＴ  ｒｅｐｏｒｔ」と共に、「Ｌｏｃａｔｉｏｎ  Ｉｎｆｏｒｍａｔｉｏｎ」を送信する。
【００４２】
ステップＳ１０１０において、無線基地局ｅＮＢは、トレース収集サーバＴＣＥに対して、ステップＳ１００９において対象移動局ＵＥから受信した情報及び「ＭＤＴ  ｃｏｎｆｉｇ」を含む「Ｔｒａｃｅ  Ｒｅｃｏｒｄ」を送信する。
【００４３】
第２に、図４を参照して、本実施形態に係る移動通信システムにおいて移動局ＵＥが接続状態（ＲＲＣ_ＣＯＮＮＥＣＴＥＤ）になった後の動作について説明する。
【００４４】
図４に示すように、ステップＳ２００１において、運用保守サーバＥＭは、加入者管理サーバＨＳＳに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００４５】
ステップＳ２００２において、加入者管理サーバＨＳＳは、「ＭＤＴ  ｃｏｎｆｉｇ」によって指定されている対象移動局ＵＥに対してＭＤＴ測定処理を行わせることが承諾されているか否かについて判定する。
【００４６】
ここで、加入者管理サーバＨＳＳは、対象移動局ＵＥに対してＭＤＴ測定処理を行わせることが承諾されていないと判定した場合、ステップＳ２００３Ａにおいて、運用保守サーバＥＭに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信する。
【００４７】
一方、加入者管理サーバＨＳＳは、対象移動局ＵＥに対してＭＤＴ測定処理を行わせることが承諾されていると判定した場合、ステップＳ２００３において、移動管理ノードＭＭＥに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００４８】
ここで、移動管理ノードＭＭＥは、対象移動局ＵＥが接続状態になっているため、ステップＳ２００４において、無線基地局ｅＮＢに対して、「ＭＤＴ  ｃｏｎｆｉｇ」を含む「Ｔｒａｃｅ  Ｓｔａｒｔ」を送信する。
【００４９】
以下、ステップＳ２００５乃至Ｓ２００８の動作は、図３に示すステップＳ１００７乃至Ｓ１０１０の動作と同一である。
【００５０】
本発明の第１の実施形態に係る移動通信システムによれば、加入者管理サーバＨＳＳが、対象移動局ＵＥに対してＭＤＴ測定処理を行わせることが承諾されていると判定した場合にのみ、対象移動局ＵＥによるＭＤＴを開始することができる。
【００５１】
（変更例１）
以下、図５乃至図７を参照して、本発明の変更例１に係る移動通信システムについて、上述の第１の実施形態に係る移動通信システムとの相違点に着目して説明する。
【００５２】
図５に示すように、移動管理ノードＭＭＥは、受信部２１と、判定部２２と、管理部２３と、送信部２４とを具備している。
【００５３】
受信部２１は、加入者管理サーバＨＳＳから、対象移動局ＵＥによるＭＤＴ測定処理の実施を指示する指示情報としての「ＭＤＴ  ｃｏｎｆｉｇ」を含む「Ｔｒａｃｅ  Ｓｅｓｓｉｏｎ  Ａｃｔｉｖａｔｉｏｎ」を受信するように構成されている。
【００５４】
管理部２３は、移動局ＵＥの加入者情報を管理するように構成されている。例えば、管理部１３は、各移動局ＵＥに対してＭＤＴ測定処理を行わせることが承諾されているか否かについて示す承諾情報を管理するように構成されている。
【００５５】
判定部２２は、受信部２１によって「ＭＤＴ  ｃｏｎｆｉｇ」を含む「Ｔｒａｃｅ  Ｓｅｓｓｉｏｎ  Ａｃｔｉｖａｔｉｏｎ」が受信された場合、管理部２３を参照して、「ＭＤＴ  ｃｏｎｆｉｇ」によって指定されている対象移動局ＵＥに対してＭＤＴ測定処理を行わせることが承諾されているか否かについて判定するように構成されている。
【００５６】
送信部２４は、無線基地局ｅＮＢに対して、対象移動局ＵＥに対してＭＤＴ測定処理の実施を指示するための「Ｔｒａｃｅ  Ｓｔａｒｔ」を送信し、加入者管理サーバＨＳＳに対して、対象移動局ＵＥによるＭＤＴ測定処理の実施を拒絶するための「Ｔｒａｃｅ  Ｓｅｓｓｉｏｎ  Ａｃｔｉｖａｔｉｏｎ  Ｒｅｊｅｃｔ」を送信するように構成されている。
【００５７】
具体的には、判定部２２が、対象移動局ＵＥに対してＭＤＴ測定処理を行わせることが承諾されていると判定した場合に、送信部２４は、無線基地局ｅＮＢに対して、「ＭＤＴ  ｃｏｎｆｉｇ」を含む「Ｔｒａｃｅ  Ｓｔａｒｔ」を送信するように構成されている。
【００５８】
一方、判定部２２が、対象移動局ＵＥに対してＭＤＴ測定処理を行わせることが承諾されていないと判定した場合に、送信部１４は、加入者管理サーバＨＳＳに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信するように構成されている。
【００５９】
以下、図６及び図７を参照して、本変更例１に係る移動通信システムの動作の一例について説明する。
【００６０】
第１に、図６を参照して、本変更例１に係る移動通信システムにおいて移動局ＵＥが接続状態（ＲＲＣ_ＣＯＮＮＥＣＴＥＤ）になる前の動作について説明する。
【００６１】
図６に示すように、ステップＳ３００１において、運用保守サーバＥＭは、加入者管理サーバＨＳＳに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００６２】
ステップＳ３００２において、加入者管理サーバＨＳＳは、移動管理ノードＭＭＥに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００６３】
ステップＳ３００３において、移動管理ノードＭＭＥは、「ＭＤＴ  ｃｏｎｆｉｇ」によって指定されている対象移動局ＵＥに対してＭＤＴ測定処理を行わせることが承諾されているか否かについて判定する。
【００６４】
ここで、移動管理ノードＭＭＥは、対象移動局ＵＥに対してＭＤＴ測定処理を行わせることが承諾されていないと判定した場合、ステップＳ３００６Ａにおいて、加入者管理サーバＨＳＳに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信し、ステップＳ３００６Ｂにおいて、加入者管理サーバＨＳＳは、運用保守サーバＥＭに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信する。
【００６５】
一方、移動管理ノードＭＭＥは、対象移動局ＵＥに対してＭＤＴ測定処理を行わせることが承諾されていると判定した場合、対象移動局ＵＥが接続状態になっていないため、かかる「Ｔｒａｃｅ  Ｓｅｓｓｉｏｎ  Ａｃｔｉｖａｔｉｏｎ」を保留する。
【００６６】
対象移動局ＵＥは、ステップＳ３００４において、無線基地局ｅＮＢに対して、「Ａｔｔａｃｈ  Ｒｅｑｕｅｓｔ」を送信し、ステップＳ３００５において、アタッチ処理（Ａｔｔａｃｈ  Ｐｒｏｃｅｄｕｒｅ）が行われる。或いは、対象移動局ＵＥのアイドル状態（ＲＲＣ_ＩＤＬＥ）から接続状態（ＲＲＣ_ＣＯＮＮＥＣＴＥＤ）への遷移処理が行われる。
【００６７】
ステップＳ３００６において、移動管理ノードＭＭＥは、「ＭＤＴ  ｃｏｎｆｉｇ」を含む「Ｔｒａｃｅ  Ｓｔａｒｔ」を送信する。
【００６８】
以下、ステップＳ３００７乃至Ｓ３０１０の動作は、図３に示すステップＳ１００７乃至Ｓ１０１０の動作と同一である。
【００６９】
第２に、図７を参照して、本変更例１に係る移動通信システムにおいて移動局ＵＥが接続状態（ＲＲＣ_ＣＯＮＮＥＣＴＥＤ）になった後の動作について説明する。
【００７０】
図７に示すように、ステップＳ４００１において、運用保守サーバＥＭは、加入者管理サーバＨＳＳに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００７１】
ステップＳ４００２において、加入者管理サーバＨＳＳは、移動管理ノードＭＭＥに対して、「ＭＤＴ  ｃｏｎｆｉｇ」を含む「Ｔｒａｃｅ  Ｓｅｓｓｉｏｎ  Ａｃｔｉｖａｔｉｏｎ」を送信する。
【００７２】
ステップＳ４００３において、移動管理ノードＭＭＥは、「ＭＤＴ  ｃｏｎｆｉｇ」によって指定されている対象移動局ＵＥに対してＭＤＴ測定処理を行わせることが承諾されているか否かについて判定する。
【００７３】
ここで、移動管理ノードＭＭＥは、対象移動局ＵＥに対してＭＤＴ測定処理を行わせることが承諾されていないと判定した場合、ステップＳ４００４Ａにおいて、加入者管理サーバＨＳＳに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信し、ステップＳ４００４Ｂにおいて、加入者管理サーバＨＳＳは、運用保守サーバＥＭに対して、「ＭＤＴ  ｃｏｎｆｉｇ」を含む「Ｔｒａｃｅ  Ｓｅｓｓｉｏｎ  Ａｃｔｉｖａｔｉｏｎ  Ｒｅｊｅｃｔ」を送信する。
【００７４】
一方、移動管理ノードＭＭＥは、対象移動局ＵＥに対してＭＤＴ測定処理を行わせることが承諾されていると判定した場合、対象移動局ＵＥが接続状態になっているため、ステップＳ４００４において、無線基地局ｅＮＢに対して、「ＭＤＴ  ｃｏｎｆｉｇ」を含む「Ｔｒａｃｅ  Ｓｔａｒｔ」を送信する。
【００７５】
以下、ステップＳ４００５乃至Ｓ４００８の動作は、図３に示すステップＳ１００７乃至Ｓ１０１０の動作と同一である。
【００７６】
本変更例１に係る移動通信システムによれば、移動管理ノードＭＭＥが、対象移動局ＵＥに対してＭＤＴ測定処理を行わせることが承諾されていると判定した場合にのみ、対象移動局ＵＥによるＭＤＴを開始することができる。
【００７７】
以上に述べた本実施形態の特徴は、以下のように表現されていてもよい。
【００７８】
本実施形態の第１の特徴は、運用保守サーバＥＭによって指定された対象移動局ＵＥが、運用保守サーバＥＭによって指定されたＭＤＴ測定処理を行い、かかるＭＤＴ測定処理の結果を含むＭＤＴログを報告する移動通信方法であって、運用保守サーバＥＭが、加入者管理サーバＨＳＳに対して、「ＭＤＴ  ｃｏｎｆｉｇ（対象移動局ＵＥによるＭＤＴ測定処理の実施を指示する指示情報）」を送信する工程Ａと、加入者管理サーバＨＳＳが、対象移動局ＵＥに対してＭＤＴ測定処理を行わせることが承諾されていると判定した場合に、移動管理ノードＭＭＥと無線基地局ｅＮＢとを介して、対象移動局ＵＥに対して、ＭＤＴ測定処理の実施を指示する工程Ｂとを有することを要旨とする。
【００７９】
本実施形態の第１の特徴において、工程Ｂにおいて、加入者管理サーバＨＳＳは、対象移動局ＵＥがアタッチ処理（Ａｔｔａｃｈ  Ｐｒｏｃｅｄｕｒｅ）を行った後或いは接続状態（ＲＲＣ_ＣＯＮＮＥＣＴＥＤ）に遷移した後、対象移動局ＵＥに対して、ＭＤＴ測定処理の実施を指示してもよい。
【００８０】
本実施形態の第２の特徴は、運用保守サーバＥＭによって指定された対象移動局ＵＥが、運用保守サーバＥＭによって指定されたＭＤＴ測定処理を行い、かかるＭＤＴ測定処理の結果を含むＭＤＴログを報告する移動通信方法であって、運用保守サーバＥＭが、加入者管理サーバＨＳＳに対して、「ＭＤＴ  ｃｏｎｆｉｇ」を送信する工程Ａと、加入者管理サーバＨＳＳが、移動管理ノードＭＭＥに対して、「ＭＤＴ  ｃｏｎｆｉｇ」を送信する工程Ｂと、移動管理ノードＭＭＥが、対象移動局ＵＥに対してＭＤＴ測定処理を行わせることが承諾されていると判定した場合に、無線基地局ｅＮＢを介して、対象移動局ＵＥに対して、ＭＤＴ測定処理の実施を指示する工程Ｃとを有することを要旨とする。
【００８１】
本実施形態の第２の特徴において、工程Ｃにおいて、移動管理ノードＭＭＥは、対象移動局ＵＥがアタッチ処理を行った後或いは接続状態に遷移した後、対象移動局ＵＥに対して、ＭＤＴ測定処理の実施を指示してもよい。
【００８２】
本実施形態の第３の特徴は、運用保守サーバＥＭによって指定された対象移動局ＵＥが、運用保守サーバＥＭによって指定されたＭＤＴ測定処理を行い、かかるＭＤＴ測定処理の結果を含むＭＤＴログを報告することができるように構成されている移動通信システムで用いられる加入者管理サーバＨＳＳであって、運用保守サーバＥＭから、「ＭＤＴ  ｃｏｎｆｉｇ」を受信した場合に、対象移動局ＵＥに対してＭＤＴ測定処理を行わせることが承諾されているか否かについて判定するように構成されている判定部１２と、対象移動局ＵＥに対してＭＤＴ測定処理を行わせることが承諾されていると判定した場合に、移動管理ノードＭＭＥと無線基地局ｅＮＢとを介して、対象移動局ＵＥに対して、ＭＤＴ測定処理の実施を指示するように構成されている送信部１４とを具備することを要旨とする。
【００８３】
本実施形態の第３の特徴において、送信部１３は、対象移動局ＵＥがアタッチ処理を行った後或いは接続状態に遷移した後、対象移動局ＵＥに対して、ＭＤＴ測定処理の実施を指示するように構成されていてもよい。
【００８４】
本実施形態の第３の特徴は、運用保守サーバＥＭによって指定された対象移動局ＵＥが、運用保守サーバＥＭによって指定されたＭＤＴ測定処理を行い、かかるＭＤＴ測定処理の結果を含むＭＤＴログを報告することができるように構成されている移動通信システムで用いられる移動管理ノードＭＭＥであって、「ＭＤＴ  ｃｏｎｆｉｇ」を受信した場合に、対象移動局ＵＥに対してＭＤＴ測定処理を行わせることが承諾されているか否かについて判定するように構成されている判定部２２と、対象移動局ＵＥに対してＭＤＴ測定処理を行わせることが承諾されていると判定した場合に、無線基地局ｅＮＢを介して、対象移動局ＵＥに対して、ＭＤＴ測定処理の実施を指示するように構成されている送信部２３とを具備することを要旨とする。
【００８５】
本実施形態の第４の特徴において、送信部２３は、対象移動局ＵＥがアタッチ処理を行った後或いは接続状態に遷移した後、対象移動局ＵＥに対して、ＭＤＴ測定処理の実施を指示するように構成されていてもよい。
【００８６】
なお、上述の運用保守サーバＥＭや加入者管理サーバＨＳＳやトレース収集サーバＴＣＥや移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００８７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、運用保守サーバＥＭや加入者管理サーバＨＳＳやトレース収集サーバＴＣＥや移動管理ノードＭＭＥや無線基地局ｅＮＢや移動局ＵＥ内に設けられていてもよい。また、かかる記憶媒体及びプロセッサは、ディスクリートコンポーネントとして運用保守サーバＥＭや加入者管理サーバＨＳＳや移動管理ノードＭＭＥやトレース収集サーバＴＣＥや無線基地局ｅＮＢや移動局ＵＥ内に設けられていてもよい。
【００８９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９０】
ＨＳＳ…加入者管理サーバ
ＭＭＥ…移動管理ノード
１１、２１…受信部
１２、２２…判定部
１３、２３…管理部
１４、２４…送信部
【図１】
2012119895.tif 000003
【図２】
2012119895.tif 000004
【図３】
2012119895.tif 000005
【図４】
2012119895.tif 000006
【図５】
2012119895.tif 000007
【図６】
2012119895.tif 000008
【図７】
2012119895.tif 000009